(57)【要約】【課題】お湯はりや足し湯する場合には残り湯の状態により、その都度湯量設定をし直すか、操作回数を繰返すことが必要で操作が煩雑であるという課題があった。【解決手段】お湯はりスイッチ２３を一定時間連続押し操作すると湯量設定スイッチ２４で設定された湯量から連続押しの時間に応じて段階的に減じた湯量に変更でき、変更時点でお湯はりスイッチ２３の押し操作を止めると浴槽７へのお湯はり動作を開始する手段を設けたものである。【選択図】  図２
2004184033.tif 000002
【特許請求の範囲】
【請求項１】
熱交換器と、前記熱交換器を加熱する加熱手段と、前記熱交換器の出口給湯回路を分岐して浴槽に連結された風呂回路と、前記風呂回路の開閉を行う開閉手段と、浴槽へのお湯はり湯量を計測する水量計測手段と、前記風呂回路を経由して浴槽へのお湯はりを行う制御手段と、浴槽へのお湯はり動作を制御するお湯はりスイッチと、お湯はり湯量を可変する湯量設定スイッチとを備えた給湯機において、前記お湯はりスイッチを一定時間連続押し操作すると浴槽へのお湯はり動作を開始すると共に前記湯量設定スイッチで設定された湯量から連続押しの時間に応じて段階的に減じた湯量をお湯はりする湯量変更手段を設けたことを特徴とした給湯機。
【請求項２】
お湯はり湯量が段階的に減じた時に報知音を鳴らす報知装置を設けた請求項１記載の給湯機。
【請求項３】
お湯はり動作が完了した後にはお湯はり湯量は湯量設定スイッチで設定された湯量に戻るものとした請求項１記載の給湯機。
【請求項４】
お湯はりスイッチを再度操作してお湯はり動作を中止した後にはお湯はり湯量は湯量設定スイッチで設定された湯量に戻るものとした請求項１記載の給湯機。
【請求項５】
お湯はりスイッチを一定時間連続押し操作中にお湯はり湯量が最少湯量に到達後は湯量設定スイッチで設定された湯量に戻るものとした請求項１記載の給湯機。
【請求項６】
お湯はりスイッチを一定時間連続押し操作中にお湯はり湯量が最少湯量に到達後は段階的に増加するものとした請求項１記載の給湯機。
【請求項７】
段階的に減じた最初の設定湯量は、湯量設定スイッチで設定された湯量に一定の比率を乗じたもので、その後は段階的に略１０Ｌ単位の変化量とした請求項１記載の給湯機。
【請求項８】
段階的に減じた湯量の最少湯量は、略２０Ｌとした請求項１記載の給湯機。
【発明の詳細な説明】
【０００１】
【発明の属する技術分野】
本発明は、浴槽の自動お湯はりを行う機能を備えた給湯機や風呂給湯装置に関するものである。
【０００２】
【従来の技術】
従来から、浴槽に自動お湯はりをする機能を有する給湯機として図３に示すようにリモコン２２にお湯はりスイッチ２３と湯量設定スイッチ２４と足し湯スイッチ２５が設けられているものが知られている。お湯はりスイッチ２３を操作すると水量計測手段で給湯回路を分岐して浴槽に連結された風呂回路から浴槽に供給した湯量を計測してリモコン２２に設けられた湯量設定スイッチ２４で設定した湯量が供給されると自動的にお湯はりを停止する。浴槽の水位が低下した時に足し湯スイッチ２５を操作すると一定量の湯量を足し湯して停止する。
【０００３】
この時の設定湯量は、浴槽が空の状態からお湯はりを開始して入浴に適した水位になる湯量が供給されるように使用者が設定するものであり、一方、足し湯する一定量は給湯機の制御手段によりあらかじめ決められているがリモコン２２の別スイッチの足し湯湯量スイッチ２６を備えていて可変できるものもある（例えば、特許文献１参照）。
【０００４】
【特許文献１】
特開平５−２３１７０９号公報
【０００５】
【発明が解決しようとする課題】
しかしながら上記の従来の技術では、浴槽にお湯が残っている時に自動お湯はりする場合にはその都度湯量設定スイッチ２４で設定した湯量を少なめに変更することが必要であり、足し湯する場合にも浴槽のお湯が多量に減っていて多量の足し湯が必要な時には足し湯スイッチ２５を何度も操作するか足し湯湯量スイッチ２６で変更する必要があるので操作が煩雑という課題があった。
【０００６】
また、リモコン２２にお湯はりスイッチ２３と湯量設定スイッチ２４と足し湯スイッチ２５と場合によっては足し湯量変更用の足し湯湯量スイッチ２６を設けられているので夫々のスイッチが小さくなり視認性や操作性が悪くなるという課題があった。
【０００７】
本発明は上記課題を解決するもので、浴槽へのお湯はり湯量を少なめに変更する時や多量の足し湯が必要な時の操作を簡単にするとともにリモコンのスイッチの数を減らして夫々のスイッチを大きくして視認性や操作性の改善を図ったものである。
【０００８】
【課題を解決するための手段】
本発明は上記目的を達成するために、お湯はりスイッチを一定時間連続押し操作すると湯量設定スイッチで設定された湯量から連続押しの時間に応じて段階的に減じた湯量に変更でき、変更時点でお湯はりスイッチの押し操作を止めると浴槽へのお湯はり動作を開始するものである。
【０００９】
また、足し湯を行う時もお湯はりスイッチを一定時間連続押し操作をすると設定された湯量から連続押しの時間に応じて段階的に減じた湯量に変更できるので足し湯スイッチとお湯はりスイッチとを兼用したものである。
【００１０】
本願発明によれば、お湯はりをする時に湯量設定スイッチを操作することなくお湯はりスイッチの単独操作で湯量を少なめに変更することができるので操作が容易になる。さらに足し湯スイッチや足し湯湯量設定用スイッチを廃止できるのでスイッチの数を減らして夫々のスイッチを大きくして視認性や操作性の改善が図れる。
【００１１】
【発明の実施の形態】
請求項１記載の発明は、熱交換器と、熱交換器を加熱する加熱手段と、熱交換器の出口給湯回路を分岐して浴槽に連結された風呂回路と、風呂回路の開閉を行う開閉手段と、浴槽へのお湯はり湯量を計測する水量計測手段と、風呂回路を経由して浴槽へのお湯はりを行う制御手段と、浴槽へのお湯はり動作を制御するお湯はりスイッチと、お湯はり湯量を可変する湯量設定スイッチとを備えた給湯機において、お湯はりスイッチを一定時間連続押し操作すると浴槽へのお湯はり動作を開始すると共に前記湯量設定スイッチで設定された湯量から連続押しの時間に応じて段階的に減じた湯量をお湯はりする湯量変更手段を設けたもので湯量設定スイッチを操作することなく変更でき、変更時点でお湯はりスイッチの押し操作を止めると浴槽へのお湯はり動作を開始するものであり、お湯はりスイッチの単独操作で湯量を少なめに変更することができるので操作性を向上することができる。
【００１２】
請求項２記載の発明は、特に請求項１に記載の発明に加えて、お湯はり湯量が段階的に減じた時に報知音を鳴らす報知装置を設けたもので段階的に湯量が減ったことが報知音で認識できるので湯量調整が容易に行うことができ操作性を向上することができる。
【００１３】
請求項３記載の発明は、特に請求項１に記載の発明に加えて、お湯はり動作が完了した後にはお湯はり湯量は湯量設定スイッチで設定された湯量に戻るもものとしたもので、次にお湯はりをする時に浴槽が空の状態からお湯はりを開始して入浴に適した水位になるよう使用者が設定した湯量が供給されるので浴槽が空の状態からのお湯はりを行う場合には湯量を再設定することなくお湯はりスイッチの操作だけでお湯はりができるので操作性を向上することができる。
【００１４】
請求項４記載の発明は、特に請求項１に記載の発明に加えて、お湯はり動作に入り、お湯はりスイッチを再度操作してお湯はり動作を中止した後にはお湯はり湯量は湯量設定スイッチで設定された湯量に戻るものとしたもので、次にお湯はりをする時に浴槽が空の状態からお湯はりを開始して入浴に適した水位になるは使用者が設定した湯量が供給されるので浴槽が空の状態からのお湯はりを行う場合には湯量を再設定することなくお湯はりスイッチの操作だけでお湯はりができるので操作性を向上することができる。
【００１５】
請求項５記載の発明は、特に請求項１に記載の発明に加えて、お湯はりスイッチを一定時間連続押し操作中にお湯はり湯量が最少湯量に到達後は湯量設定スイッチで設定された湯量に戻るものとしたをもので、お湯はりスッチを連続押ししてお湯はり湯量が意図した湯量より少なくなっても再度湯量設定スイッチで設定された湯量から湯量を設定できるので操作性を向上することができる。
【００１６】
請求項６記載の発明は、特に請求項１に記載の発明に加えて、お湯はりスイッチを一定時間連続押し操作中にお湯はり湯量が最少湯量に到達後は段階的に増加して湯量設定スイッチで設定された湯量に戻るものとしたをもので、お湯はりスッチを連続押ししてお湯はり湯量が意図した湯量より少なくなっても再度湯量設定スイッチで設定された湯量から湯量を設定できるので操作性を向上することができる。
【００１７】
請求項７記載の発明は、特に請求項１に記載の発明に加えて、段階的に減じた最初の設定湯量は湯量設定スイッチで設定された湯量に一定の比率を乗じたもので、その後は段階的に略１０Ｌ単位の変化量とし設定湯量が大きい場合でも、少ない湯量を設定するまでの時間が短縮できるので操作性を向上することができる。
【００１８】
請求項８記載の発明は、湯量設定手段の最小値を設定し、従来の足し湯の固定値として多く使用されている略２０Ｌとしたもので少量の湯量も供給でき操作性を向上することができる。
【００１９】
【実施例】
（実施例１）
図１は本発明の実施例１に係る給湯機の概略構成図である。また、図２は実施例１の給湯機のリモコンの説明図である。
【００２０】
図１において、１は熱交換器、２は熱交換器を加熱する加熱手段を備えている。熱交換器１には水を供給する給水回路３と湯を出湯する出湯回路４が接続されている。給水回路３には入水温検知センサ９と湯量を計測する水量計測手段８が設けられている。出湯回路４には熱交換器温度センサ１０、水量制御弁１２、出湯温度センサ１３を介して外部配管を通り、蛇口などの外部給湯栓に接続する給湯回路５と、注湯弁１４を介して風呂回路６に接続される２系統の給湯回路を通って機外へ供給される。水量制御弁１２には給水回路３から分岐されたバイパス制御弁１１が接続されている。
【００２１】
さらに、給水回路３と給湯回路５の間に風呂回路６への供給中に、給湯栓を使用したときに優先させる他栓スイッチ１５と開閉弁１６が設けられている。
【００２２】
燃料入口より元電磁弁１７、発熱量を制御する比例弁１８、燃焼量を切替える切替弁１９を経て流れ、加熱手段２で燃焼して発熱する。燃焼に必用な空気は空気を供給する燃焼ファン２０によって供給される。
【００２３】
制御手段２１は給湯機全体の制御を司るもので、図示しない理論演算回路を構成するＣＰＵ、ＲＡＭ、ＲＯＭと各種センサや制御装置からの入力信号受付ける入力インターフェイスと各種のアクチュエータに駆動信号を出力する出力インターフェイス等で構成されている。
【００２４】
図２に示すリモコン２２は制御手段２１との間で信号を授受して給湯機を作動させる遠隔操作装置であって運転スイッチ２７、お湯はりスイッチ２３、湯量設定スイッチ２４、出湯温度設定スイッチ２８、お湯はり温度設定スイッチ２９と表示器３０を備える。
【００２５】
通常風呂回路６に湯を供給する場合はリモコン２２の運転スイッチ２７を「ＯＮ」にし、お湯はり温度設定スイッチ２９およびお湯はり湯量設定スイッチ２４で設定を行った後にお湯はりスイッチ２３を「ＯＮ」することにより、注湯弁１４が開かれ風呂回路６へお湯が供給され、水量計測手段８からの信号を制御手段２１に送り、設定された湯量に達すると注湯弁１４が閉じてお湯はりを停止する。また、上記のお湯はり温度設定スイッチ２９およびお湯はり湯量設定スイッチ２４で設定を行った場合その値は次の設定値の変更が行われるまでは記憶される構成となっている。
【００２６】
浴槽７の湯量が減少し、お湯を足す場合お湯はりスイッチを「ＯＮ」にすると浴槽７が空の状態でのお湯はり湯量となっているために必用以上の湯量が供給され浴槽７からお湯が溢れることもある。また、従来例の足し湯スイッチ２５でお湯を足す場合は数回足し湯スイッチ２５を操作する必要が生じる。
【００２７】
本発明はお湯はりスイッチ２３を一定時間連続押し操作（例えば２秒以上）すると湯量設定スイッチ２４で設定された湯量から連続押しの時間に応じて段階的に減じた湯量をお湯はりする湯量変更手段を設けたもので湯量設定スイッチ２４を操作することなく変更でき、変更時点でお湯はりスイッチの押し操作を止めると浴槽へのお湯はり動作を開始するものであり、お湯はりスイッチの単独操作で湯量を少なめに変更することができるので操作性を向上することができる。
【００２８】
また、お湯はりスイッチが長時間（例えば２０秒以上）押し続けらた場合はスイッチの故障やいたずらが考えられるのでお湯はりスイッチは「ＯＦＦ」となり、お湯はり動作に入らないものとしている。
【００２９】
（実施例２）
実施例２の発明は、実施例１で説明したお湯はりスイッチ２３を一定時間連続押し操作（例えば２秒）すると湯量設定スイッチ２４で設定された湯量から連続押しの時間に応じて段階的に減じた湯量をお湯はりする湯量変更手段とそれに連動した報知手段を設けたもので湯量の数値が変わると表示器３０の数値が変化すると共に報知音を発生させることにより、より操作性を向上することができる。
【００３０】
（実施例３）
実施例３の発明は、実施例１の操作によりお湯はり動作が完了した後に制御手段２１にリセット手段を設けて、お湯はり湯量は湯量設定スイッチ２４で設定された湯量に戻るものとしたもので、次にお湯はりをする時に浴槽７が空の状態からお湯はりを開始して入浴に適した水位になるよう使用者が設定した湯量が供給されるので浴槽７が空の状態からのお湯はりを行う場合には湯量を再設定することなくお湯はりスイッチ２３の操作だけでお湯はりができるので操作性を向上することができる。
【００３１】
（実施例４）
実施例４の発明は、実施例１の操作によりお湯はり動作に入り、お湯はりスイッチを再度操作してお湯はり動作を中止した後にはリセット手段を設けてお湯はり湯量は湯量設定スイッチで設定された湯量に戻るものとしたもので、次にお湯はりをする時に浴槽が空の状態からお湯はりを開始して入浴に適した水位になるは使用者が設定した湯量が供給されるので浴槽が空の状態からのお湯はりを行う場合には湯量を再設定することなくお湯はりスイッチの操作だけでお湯はりができるので操作性を向上することができる。
【００３２】
（実施例５）
実施例５の発明は、実施例１の操作によりお湯はりスイッチ２３を連続押しして湯量変更のモードに入ったときに、制御手段２１に湯量のリピート機能を付加し、お湯はりスイッチ２３を一定時間連続押し操作中にお湯はり湯量が最少湯量に到達後は湯量設定スイッチ２４で設定された湯量に戻るものとしたをもので、お湯はりスッチ２３を連続押ししてお湯はり湯量が意図した湯量より少なくなっても再度湯量設定スイッチで設定された湯量から湯量を設定できるので操作性を向上することができる。
【００３３】
（実施例６）
実施例６の発明は実施例１の操作によりお湯はりスイッチ２３を連続押しして湯量変更のモードに入ったときに、制御手段２１に湯量のリピート機能を付加し、お湯はりスイッチ２３を一定時間連続押し操作中にお湯はり湯量が最少湯量に到達後は段階的に増加して湯量設定スイッチ２４で設定された湯量に戻るものとしたをもので、お湯はりスッチ２３を連続押ししてお湯はり湯量が意図した湯量より少なくなっても段階的に増加していくの再度湯量を設定できるので操作性を向上することができる。
【００３４】
（実施例７）
実施例６の発明は、実施例１の操作によりお湯はりスイッチ２３を連続押しして湯量変更のモードに入ったときに、制御手段２１に段階的に減じた最初の設定湯量は湯量設定スイッチ２４で設定された湯量に一定の比率を乗じたもので、例えば定数を０．６とし２００Ｌの設定湯量であれば０．６Ｘ２００＝１２０Ｌをお湯はりスイッチ２３を連続押しして湯量変更のモードに入ったときの最初の設定湯量とし、その後は段階的に１０Ｌ単位の変化量とし設定湯量が大きい場合でも、少ない湯量を設定するまでの時間が短縮できるので操作性を向上することができる。
【００３５】
なお、１０Ｌ単位としたのは、標準的な家庭用の浴槽の場合に満水で１８０〜２５０Ｌ程度であるため、最小変化量として略１０Ｌ単位が適切と判断したためである。
【００３６】
（実施例８）
実施例８の発明は、実施例１の操作によりお湯はりスイッチ２３を連続押しして湯量変更のモードに入ったときに、湯量設定手段の最小値を設定し、従来の足し湯の固定値として多く使用されている２０Ｌとしたもので少量の湯量も供給できるのお湯はりスイッチ２３と従来例の足し湯スイッチ２６を兼ねることができ操作性を向上することができる。
【００３７】
なお、２０Ｌ単位としたのは、実施例７同様に標準的な家庭用浴槽を想定した場合に水位変化が使用者にわかる程度の最小足し湯量が略２０Ｌ程度であると判断したためである。
【００３８】
【発明の効果】
以上説明したように本発明によれば次の効果が得られる。
【００３９】
お湯はりスイッチを一定時間連続押し操作すると湯量設定スイッチで設定された湯量から連続押しの時間に応じて段階的に減じた湯量をお湯はりする湯量変更手段を設けたことにより、湯量設定スイッチを操作することなく変更することができるので操作性を向上することができる。
【００４０】
また、スイッチを少なくすることにより、視認性が向上し、さらに操作性、使い勝手の向上が図れる。
【図面の簡単な説明】
【図１】本発明の第１の実施例の構成図
【図２】本発明の第１の実施例のリモコン説明図
【図３】従来例のリモコンの説明図
【符号の説明】
１  熱交換器
２  加熱手段
４  出湯回路
６  風呂回路
８  水量計測手段
１４  注湯弁（開閉手段）
２１  制御手段
２３  お湯はりスイッチ
２４  湯量設定スイッチ
【図１】
2004184033.tif 000003
【図２】
2004184033.tif 000004
【図３】
2004184033.tif 000005